(57)【要約】  非球面状の光学レンズ（例えば、眼内レンズ及びコンタクトレンズ）が提供される。眼内レンズは、前方光学面及び対向する後方光学面を形成する本体部を備える。前方光学面は、第１の外側領域及び第２の外側領域によって包囲された中心領域を有する。中心領域は第１の非球面性プロファイルを有する。第１の外側領域は、中心領域の第１の非球面性プロファイルとは異なる第２の非球面性プロファイルを有する。第２の外側領域は、第１の外側領域の第２の非球面性プロファイルとは異なる第３の非球面性プロファイルを有する。光学レンズの全体的な非球面性プロファイルによると、瞳孔寸法ごとに異なる焦点深度が付与される。結果として、光学レンズによると、所望の光学的屈折力及び光学的性能が維持されるとともに、焦点深度又は疑似調節作用が増大される。
2014503274.tif 000002
【特許請求の範囲】
【請求項１】
前方光学面及び対向する後方光学面を形成する本体部を備えた眼内レンズであって、
前記前方光学面は、
第１の非球面性プロファイルを有していて前記本体部の中心点から半径方向外向きに第１の距離だけ延在する中心領域と、
前記第１の非球面性プロファイルとは異なる第２の非球面性プロファイルを有していて前記中心領域から半径方向外向きに延在する第１の外側領域と、
前記第２の非球面性プロファイルとは異なる第３の非球面性プロファイルを有していて前記第１の外側領域から半径方向外向きに延在する第２の外側領域と、を有している、眼内レンズ。
【請求項２】
前記中心領域、前記第１の外側領域、及び前記第２の外側領域の各々が同一の基本屈折力を有する、請求項１に記載の眼内レンズ。
【請求項３】
前記中心領域、前記第１の外側領域、及び前記第２の外側領域の各々が同一の円錐定数を有する、請求項２に記載の眼内レンズ。
【請求項４】
前記第１の外側領域は、前記中心領域を包囲する環状リングを備えており、それにより、前記第１の外側領域は、前記第１の距離によって形成される円形の内側境界と、前記中心点からの第２の距離によって形成される円形の外側境界と、を有するようになっている、請求項３に記載の眼内レンズ。
【請求項５】
前記第２の外側領域は、前記第１の外側領域を包囲する環状リングを備えており、それにより、前記第２の外側領域は、前記第２の距離によって形成される円形の内側境界と、前記中心点からの第３の距離によって形成される円形の外側境界部と、を有するようになっている、請求項４に記載の眼内レンズ。
【請求項６】
前記第１の距離が約０．２５ｍｍ〜約２．０ｍｍである、請求項５に記載の眼内レンズ。
【請求項７】
前記第２の距離が約０．５ｍｍ〜約２．５ｍｍである、請求項６に記載の眼内レンズ。
【請求項８】
前記第３の距離が約２．５ｍｍ〜約３．０ｍｍである、請求項７に記載の眼内レンズ。
【請求項９】
前記第２の外側領域の前記円形の外側境界が前記本体部の外側境界になっている、請求項８に記載の眼内レンズ。
【請求項１０】
前記眼内レンズは、前記第３の非球面性プロファイルとは異なる第４の非球面性プロファイルを有していて前記第２の外側領域から半径方向外向きに延在する第３の外側領域をさらに有する、請求項３に記載の眼内レンズ。
【請求項１１】
前記第１の非球面性プロファイル、前記第２の非球面性プロファイル、及び前記第３の非球面性プロファイルは、以下の数式
【数１】
2014503274.tif 000005
によって定義されており、ここで、
ｃ、ｋ、α2、及びα3が定数であり、
ｒが前記中心点からの半径距離である、請求項５に記載の眼内レンズ。
【請求項１２】
ｃが前記第１、第２、及び第３の非球面性プロファイルの各々について同一の数値を有しており、
ｋが前記第１、第２、及び第３の非球面性プロファイルの各々について同一の数値を有しており、
α2が前記第１、第２、及び第３の非球面性プロファイルの各々について異なる数値を有しており、
α3が前記第１、第２、及び第３の非球面性プロファイルの各々について異なる数値を有する、請求項１１に記載の眼内レンズ。
【請求項１３】
１／ｃ＝１８．９９０であり、
ｋ＝−３．１５９であり、
前記第１の非球面性プロファイルについて、α2＝６．０３４Ｅ−０５であり、
前記第２の非球面性プロファイルについて、α2＝１．９３０Ｅ−０４であり、
前記第３の非球面性プロファイルについて、α2＝−４．６８０Ｅ−０４であり、
前記第１の非球面性プロファイルについて、α3＝１．１６４Ｅ−０５であり、
前記第２の非球面性プロファイルについて、α3＝−１．５２７Ｅ−０４であり、
前記第３の非球面性プロファイルについて、α3＝３．５４１Ｅ−０６である、請求項１２に記載の眼内レンズ。
【請求項１４】
前記後方光学面が球面状のプロファイル又は円環状のプロファイルを有する、請求項３に記載の眼内レンズ。
【請求項１５】
形成方法であって、
光学レンズの前方面の中心領域が第１の非球面性プロファイルを有するように、前記中心領域を形成することを含んでおり、
前記中心領域は、前記光学レンズの中心点から半径方向外向きに第１の距離だけ延在しており、それにより、前記中心領域が円形の外側境界を有するようになっており、
前記形成方法は、
前記前方面の第１の外側領域が前記第１の非球面性プロファイルとは異なる第２の非球面性プロファイルを有するように、前記第１の外側領域を形成することをさらに含んでおり、
前記第１の外側領域は、前記中心領域から半径方向外向きに延在しており、それにより、前記第１の外側領域の内側境界が前記第１の距離によって形成されるとともに、前記第１の外側領域の外側境界が前記第１の距離より大きい第２の距離によって形成されることにより前記第１の外側領域が前記中心領域と同心にされるようになっており、
前記形成方法は、
前記前方面の第２の外側領域が前記第２の非球面性プロファイルとは異なる第３の非球面性プロファイルを有するように、前記第２の外側領域を形成することをさらに含んでおり、
前記第２の外側領域は、前記第１の外側領域から半径方向外向きに延在しており、それにより、前記前記第２の外側領域の内側境界が前記第２の距離によって形成されるとともに、前記第２の外側領域の外側境界が前記第２の距離より大きい第３の距離によって形成されることにより前記第２の外側領域が前記第１の外側領域及び前記中心領域と同心にされるようになっている、形成方法。
【請求項１６】
前記中心領域、前記第１の外側領域、及び前記第２の外側領域の各々は、前記中心領域、前記第１の外側領域、及び前記第２の外側領域が同一の基本屈折力及び同一の円錐定数を有するように形成される、請求項１に記載の形成方法。
【請求項１７】
前記形成方法は、前記光学レンズの後方面が球面状のプロファイルを有するように、前記後方面を形成することをさらに含む、請求項１６に記載の形成方法。
【請求項１８】
前記形成方法は、前記光学レンズの後方面が円環状のプロファイルを有するように、前記後方面を形成することをさらに含む、請求項１６に記載の形成方法。
【請求項１９】
前方光学面及び対向する後方光学面を形成する本体部を備えた光学レンズであって、
前記前方光学面は、
第１の非球面性プロファイルを有するとともに、前記光学レンズの中心点から半径方向外向きに第１の距離だけ延在することによって円形の外側境界を有するようになっている中心領域と、
前記第１の非球面性プロファイルとは異なる第２の非球面性プロファイルを有するとともに、前記中心領域と同心であり前記中心領域から半径方向外向きに延在する環状リングと、
前記第２の非球面性プロファイルとは異なる第３の非球面性プロファイルを有するとともに、前記環状リングと同心であり前記環状リングから半径方向外向きに延在する外側領域と、を有しており、
前記中心領域、前記環状リング、及び前記外側領域が等しい基本屈折力及び円錐定数を有する、光学レンズ。
【請求項２０】
前記前方光学面は、球面状のプロファイル及び円環状のプロファイルからなる群から選択されるプロファイルを有する、請求項１９に記載の光学レンズ。
【発明の詳細な説明】
【技術分野】
【０００１】
本発明は概ね光学レンズの技術分野に関連し、より具体的には、眼内レンズ（ＩＯＬ）及びコンタクトレンズの光学的デザインに関連する。
【背景技術】
【０００２】
人間の眼球は、最も簡単に言うと、角膜と呼ばれる澄んだ外側部を通して光を伝達するとともに、水晶体を介して網膜に像を結ぶことによって視覚を提供するように機能する。結ばれる像の質は、眼球の寸法及び形状、並びに角膜及び水晶体の透明度を含む多数の要因に依存する。
【０００３】
加齢又は疾病によって水晶体の透明性が低下した場合、網膜に伝達されうる光が減少することが原因で視力が低下する。眼球の水晶体のこの欠陥は、医学的には白内障として知られる。この疾患の容認された治療法は、水晶体を外科的に取り除くとともに水晶体の機能を人工的なＩＯＬによって置換することである。
【０００４】
白内障水晶体の大部分は、水晶体超音波乳化吸引と呼ばれる手術法によって取り除かれる。この処置の間、開口部が前嚢に形成されるとともに、水晶体超音波乳化吸引用の細長い切断チップが罹患水晶体に挿入されて超音波により振動させられる。振動する切断チップが水晶体を液化し又は乳化することによって、水晶体が眼球外部に吸引されうる。罹患水晶体は一旦除去されると人工的なＩＯＬに置換される。眼球からの距離が異なる物体を見えるようにする調節作用が発揮されるように、天然の水晶体の屈折力は毛様筋の影響を受けて変化しうる。しかしながら、多くのＩＯＬによると、調節作用は発揮されずに単焦点の屈折力が付与される。さらに、一部のＩＯＬは非球面を有することによって角膜の収差を補正しており、非球面は、眼球の全体的な収差を大幅に低下させるか、又は完全に排除することによって患者の角膜の非球面性に対処するように形成されている。それら技術に基づいて形成されるＩＯＬは像のコントラストを増大させうるものの、通常、それらＩＯＬは結果的に患者の焦点深度を低下させる。
【先行技術文献】
【特許文献】
【０００５】
【特許文献１】米国特許第６４１６５５０号明細書
【発明の概要】
【発明が解決しようとする課題】
【０００６】
従って、鮮明な視像が瞳孔寸法の広範囲にわたって提供されるように、疑似調節作用を有する光学的屈折力とともに、増大された焦点深度を付与できる改良型のＩＯＬが依然として必要とされている。
【課題を解決するための手段】
【０００７】
本発明は、ＩＯＬ及びコンタクトレンズに使用される光学レンズのデザインを提供する。
１つの実施形態において眼内レンズが提供される。眼内レンズは、前方光学面及び対向する後方光学面を形成する本体部を備える。眼内レンズは幾つかの事例において単焦点レンズである。前方光学面は、第１の外側領域及び第２の外側領域によって包囲された中心領域を有する。中心領域は、第１の非球面性プロファイルを有するとともに、本体部の中心点から半径方向外向きに延在する。第１の外側領域は、中心領域の第１の非球面性プロファイルとは異なる第２の非球面性プロファイルを有するとともに、中心領域から半径方向外向きに延在する。最後に、第２の外側領域は、第１の外側領域の第２の非球面性プロファイルとは異なる第３の非球面性プロファイルを有するとともに、第１の外側領域から半径方向外向きに延在する。幾つかの事例において、中心領域、第１の外側領域、及び第２の外側領域の各々は、同一の基本屈折力、及び同一の円錐定数の少なくともいずれか一方を有する。
【０００８】
幾つかの実施形態において、第１の外側領域は中心領域を包囲する環状リングを備えており、それにより、第１の外側領域は、中心点からの第１の距離（中心領域の外側境界の半径と等しい）によって形成される円形の内側境界と、中心点からの第２の距離によって形成される円形の外側境界と、を有するようになっている。同様に、第２の外側領域は第１の外側領域を包囲する環状リングを備えうる。それにより、第２の外側領域は、第２の距離によって形成される円形の内側境界と、中心点からの第３の距離によって形成される円形の外側境界と、を有するようになっている。そのような実施形態の幾つかの事例において、第１の距離は約１．０ｍｍ〜約２．０ｍｍであり、第２の距離は約１．５ｍｍ〜約２．５ｍｍであり、第３の距離は約２．５ｍｍ〜約３．５ｍｍである。その点において、幾つかの実施形態における第２の外側領域の円形の外側境界は、眼内レンズの外側領域である。他の実施形態において、レンズは、第２の外側領域から半径方向外向きに延在する１つ又は２つ以上の追加の外側領域を有する。そのような実施形態において、１つ又は２つ以上の追加の外側領域は、少なくとも隣接する領域とは異なる非球面性プロファイルを有する。
【０００９】
幾つかの実施形態において、第１の非球面性プロファイル、第２の非球面性プロファイル、及び第３の非球面性プロファイルの各々は、同一の数式によって定義される。１つの実施形態において、それら非球面性プロファイルは以下の数式
【数１】
2014503274.tif 000003
によって定義されており、ここで、ｃ、ｋ、α2、及びα3は定数であり、ｒは中心点からの半径である。幾つかの事例において、定数ｃ及びｋは、第１、第２、及び第３の非球面性プロファイルの各々について同一の数値である。幾つかの事例において、α2及びα3の各々は、第１、第２、及び第３の非球面性プロファイルの各々について異なる数値を有する。それら領域によって形成される眼内レンズの全体的な非球面性プロファイルによると、瞳孔寸法ごとに異なる焦点深度が付与される。その結果として、眼内レンズによると、所望の光学的屈折力及び光学的性能が維持されるとともに、増大した焦点深度又は疑似調節作用が提供される。
【００１０】
別の実施形態において光学レンズを製造する製造方法が提供される。製造方法は、光学レンズの前方面の中心領域、第１の外側領域、及び第２の外側領域を形成することを含む。その点において、中心領域はレンズの中心点から半径方向外向きに第１の距離だけ延在しており、それにより、中心領域が円形の外側境界を有するようになっており、また、第１の外側領域は中心領域から半径方向外向きに延在しており、それにより、第１の外側領域の内側境界が中心領域の円形の外側境界によって形成されるとともに、第１の外側領域の外側境界が第１の距離より大きい第２の距離によって形成されることにより第１の外側領域が中心領域と同心にされるようになっている。同様に、第２の外側領域は第１の外側領域から半径方向外向きに延在しており、それにより、第２の外側領域の内側境界が第１の外側領域の外側境界によって形成されるとともに、第２の外側領域の外側境界が第２の距離より大きい第３の距離によって形成されることにより第２の外側領域が第１の外側領域及び中心領域と同心にされるようになっている。
【００１１】
中心領域は、第１の非球面性プロファイルを有するように形成され、第１の外側領域は、第１の非球面性プロファイルとは異なる第２の非球面性プロファイルを有するように形成され、また、前方面の第２の外側領域は、第２の非球面性プロファイルとは異なる第３の非球面性プロファイルを有するように形成される。それら異なる非球面性プロファイルによると、瞳孔寸法ごとに異なる焦点深度が付与される。その結果として、光学レンズによると、所望の光学的屈折力及び光学的性能が維持されるとともに、全体的な焦点深度又は疑似調節作用が増大される。幾つかの事例において、中心領域、第１の外側領域、及び第２の外側領域の各々は、中心領域、第１の外側領域、及び第２の外側領域が同一の基本屈折力及び同一の円錐定数を有するように形成される。幾つかの実施形態において製造方法は、球面状のプロファイルを有する光学レンズの後方面を形成することをさらに含む。他の実施形態において、製造方法は、円環状のプロファイルを有する光学レンズの後方面を形成することを含んでいる。
【００１２】
別の実施形態において光学レンズが提供される。光学レンズは、前方光学面及び対向する後方光学面を形成する本体部を備える。前方光学面は、光学レンズの中心点から半径方向外向きに第１の距離だけ延在することによって円形の外側境界を有するようになっている中心領域と、中心領域と同心であり中心領域から半径方向外向きに延在する環状のリングと、環状のリングと同心であり環状リングから半径方向外向きに延在する外側領域と、を有する。中心領域は、第１の非球面性プロファイルを有しており、環状リングは、第１の非球面性プロファイルとは異なる第２の非球面性プロファイルを有しており、また、外側領域は、第２の非球面性プロファイルとは異なる第３の非球面性プロファイルを有している。幾つかの事例において、中心領域、環状リング、及び外側領域は、等しい基本屈折力及び円錐定数を有する。幾つかの実施形態において、後方光学面は、球面状のプロファイル又は円環状のプロファイルからなる群から選択されるプロファイルを有する。
【００１３】
本発明によると、瞳孔寸法ごとに異なる焦点深さが付与されるように、非球面性の度合を光学面の異なる領域にわたって変化させる光学レンズのデザインが提供される。非球面性プロファイルを異なる領域において変化させる結果として生じるレンズによると、良質な遠見視力が提供されるとともに、焦点深度が増大されて近見視力が改善される。その点において、固定式の光学部材において増大される焦点深度又は疑似調節作用が３ディオプトリに達するように、非球面性プロファイルが変化させられうる。
本発明の他の態様、特徴、及び利点が以下の詳細な説明から明らかになるであろう。
【図面の簡単な説明】
【００１４】
【図１】本発明の１つの態様に係る眼内レンズが移植された眼球を示す側断面図である。
【図２】図１の眼内レンズの正面図である。
【図３】本発明の例示的な実施形態に係る図１及び図２の眼内レンズの前方面のプロファイルを示すグラフである。
【図４】６．０ｍｍの入射瞳径（ＥＰＤ）に関する図１〜図３の眼内レンズのＭＴＦを示すプロット図である。
【図５】２．０ｍｍの入射瞳径（ＥＰＤ）に関するＭＴＦを示すことを除き、図４と同様に図１〜図３の眼内レンズのＭＴＦを示すプロット図である。
【図６】１．５ｍｍの入射瞳径（ＥＰＤ）に関するＭＴＦを示すことを除き、図４及び図５と同様に図１〜図３の眼内レンズのＭＴＦを示すプロット図である。
【図７】１００ｌｐ／ｍｍ（２０／２０の視力と等しい）における図１〜図３の眼内レンズのスルーフォーカスＭＴＦを示すグラフである。
【図８】５０ｌｐ／ｍｍ（２０／４０の視力と等しい）であることを除き、図７と同様に図１〜図３の眼内レンズのスルーフォーカスＭＴＦを示すグラフである。
【図９】標準的な球面状の光学面を有する眼内レンズであることを除き、図７と同様に１００ｌｐ／ｍｍ（２０／２０の視力と等しい）における眼内レンズのスルーフォーカスＭＴＦを示すグラフである。
【発明を実施するための形態】
【００１５】
添付図面を参照して、本発明の例示的な実施形態について説明する。
ここで、本発明の原理の理解を促す目的のために、図面に示される実施形態を参照するとともに、特定の用語を使用してそれら実施形態について説明する。それにもかかわらず、本発明の範囲は何ら制限されないように意図されることが理解される。本発明の関連する技術分野における当業者が通常は考えるように、前述したデバイス、器具、方法、及び本発明の原理の任意の他の適用例が任意に変更されるとともに、さらに改変されることが十分に考慮される。特に、１つの実施形態に関して記載される特徴、構成要素、及び工程の少なくともいずれか１つは、本発明の他の実施形態に関して記載される特徴、構成要素、及び工程の少なくともいずれか１つと組み合わせられうることが十分に考慮される。
【００１６】
最初の事項として、以下の説明では眼内レンズとの関係における本発明の態様について述べる。しかしながら、これは明瞭化及び簡潔化を目的としており、本発明の適用範囲が何らかの特定のタイプのレンズに限定されることは決してない。むしろ、眼内レンズとの関係において以下に述べる本発明の態様は、患者の視力を改善するのに利用される他の光学レンズにも等しく適用されることが理解される。その点において、眼内レンズに関して本明細書に記載される非球面状の光学的デザインの態様は、幾つかの事例において、コンタクトレンズにも同様に組み入れられる。従って、本発明の非球面状の光学的デザインは、当該技術分野における当業者によって理解されるように、種々のタイプのレンズに広範に適用されることが理解される。
【００１７】
図１を参照すると、本発明の態様を表す配列体１００が示されている。その点において、図１は眼球１０２を示す側断面図である。眼球１０２は、角膜１０４と、前眼房１０６と、後眼房１０８と、を有する。水晶体嚢１１０が後眼房１０８中に表されている。眼球１０２は網膜１１２をさらに有しており、網膜１１２は、黄斑１１４と、中心窩１１６と、を有している。眼内レンズ１２０は後眼房１０８に移植されている。特に、眼内レンズ１２０は水晶体嚢１１０内に移植されている。眼内レンズ１２０は、前方光学面１２２と、後方光学面１２４と、を有する。前方光学面１２２及び後方光学面１２４は単焦点レンズを形成する。従って、レンズ１２０を用いるとエネルギが２つの焦点に二分されることはない。以下においてさらに詳細に述べるように、幾つかの実施形態において、前方光学面１２２は非球面状であるものの、後方光学面１２４は球面状又は円環状である。
【００１８】
図２を参照すると、眼内レンズ１２０の正面図が示されている。特に、眼内レンズ１２０の前方光学面１２２が示されている。その点において、前方光学部１２２は、中心点１３２の周囲に延在する３つの領域１２６、１２８、及び１３０を有する。図示されるように、それら領域１２６、１２８、及び１３０の各々は、正面から見て概ね円形のプロファイルを有する。領域１２６は、中心点１３２から延在する半径１３４によって形成されている。通常、半径１３４は、約０．０１ｍｍ〜約１．８ｍｍであり、幾つかの事例において、約０．２５ｍｍ〜約１．５ｍｍである。領域１２８は領域１２６から半径方向外向きに延在する。従って、領域１２８の内側境界は半径１３４によって形成されており、領域１２８の外側境界は半径１３６によって形成されている。通常、半径１３６は、約０．０２ｍｍ〜約２．５ｍｍであり、幾つかの事例において、約０．５ｍｍ〜約２．０ｍｍである。従って、領域１２８は、内側境界と外側境界との間に延在する半径方向の厚さ部１３８を有する。通常、半径方向の厚さ部１３８は、約０．０１ｍｍ〜約１．７５ｍｍである。最後に、領域１３０は領域１３８から半径方向外向きに延在する。従って、領域１３０の内側境界は半径１３６によって形成されており、領域１３０の外側境界は半径１４０によって形成されている。半径１４０は光学半径（ｏｐｔｉｃ  ｓｅｍｉ−ｄｉａｍｅｔｅｒ）を形成していて、通常は、約２．５ｍｍ〜約３．０ｍｍの範囲である。従って、領域１３０は、内側境界と外側境界との間に延在する半径方向の厚さ部１４２を有する。通常、半径方向の厚さ部１４２は約０．０１ｍｍ〜約３．０ｍｍである。
【００１９】
以下においてさらに詳細に述べるように、領域１２６は第１の非球面性プロファイルを有しており、領域１２８は、領域１２６の非球面性プロファイルとは異なる第２の非球面性プロファイルを有しており、また、領域１３０は、領域１２８の非球面性プロファイルとは異なる第３の非球面性プロファイルを有している。幾つかの事例において、領域１３０の非球面性プロファイルは領域１２６の非球面性プロファイルとも異なり、それにより、前方光学面１２２の各領域が異なる非球面性プロファイルを有するようになっている。しかしながら、それら領域１２６、１２８、及び１３０は、同一の基本屈折力及び円錐定数を有する。それら領域１２６、１２８、及び１３０によって形成される前方光学面１２２の全体的な非球面性プロファイルによると、瞳孔寸法ごとに異なる焦点深度が付与される。その結果として、眼内レンズ１２０によると、所望の光学的屈折力及び光学的性能が維持されるとともに、焦点深度又は疑似調節作用が増大される。
【００２０】
それら領域１２６、１２８、及び１３０の各々の非球面性プロファイルは、同一の数式、具体的には、以下の式（１）
【数２】
2014503274.tif 000004
によって定義される。ここで、ｃ、ｋ、α2、及びα3は定数であり、ｒは前方光学面１２２の中心点１３２からの半径距離である。幾つかの実施形態において、ｃは、領域１２６、１２８、及び１３０の各々について同一である非球面性プロファイル計算用の数値を有する。同様に、幾つかの実施形態において、ｋは、領域１２６、１２８、及び１３０の各々について同一である非球面性プロファイル計算用の数値を有する。従って、幾つかの事例において、ｃ及びｋはいずれも、領域１２６、１２８、及び１３０の各々にわたって同一である非球面性プロファイルの計算用の数値を維持する。他方、幾つかの実施形態において、α2は、領域１２６、１２８、及び１３０の各々について異なる非球面性プロファイル計算用の数値を有する。また、幾つかの事例において、α3は、領域１２６、１２８、及び１３０の各々について異なる非球面性プロファイル計算用の数値を有する。従って、幾つかの事例において、α2及びα3はいずれも、領域１２６、１２８、及び１３０ごとに変化する非球面性プロファイル計算用の数値を有する。よって、幾つかの特定の事例において、ｃ及びｋは、領域１２６、１２８、及び１３０の各々にわたって同一の数値を維持するものの、非球面性プロファイル計算用のα2及びα3の数値は、領域１２６、１２８、及び１３０ごとに変化する。
【００２１】
ここで図３を参照すると、本発明の例示的な実施形態に係る前方光学面１２２の非球面性の表面プロファイルを表すグラフが示されている。特に、図３のグラフは、光学面の頂点からの面偏差（ｍｍ単位）を、光学面の半径又は半径距離（ｍｍ単位）に対してマッピングしたものである。図示されたグラフは、領域１２６、１２８、及び１３０の各々についての非球面性プロファイルを表している。表示された実施形態において、領域１２６、１２８、及び１３０の各々についての非球面性プロファイルは上述した式（１）によって計算される。その点において、領域１２６については、ｒが０．０ｍｍ〜１．５ｍｍの数値を有する場合に、１／ｃ＝１８．９９０、ｋ＝−３．１５９、α2＝６．０３４Ｅ−０５、及びα3＝１．１６４Ｅ−０５という定数値が使用される。領域１２８については、ｒが１．５ｍｍ〜２．０ｍｍの数値を有する場合に、１／ｃ＝１８．９９０、ｋ＝−３．１５９、α2＝１．９３０Ｅ−０４、及びα3＝−１．５２７Ｅ−０４という定数値が使用される。最後に、領域１３０については、ｒが２．０ｍｍ〜３．０ｍｍの数値を有する場合に、１／ｃ＝１８．９９０、ｋ＝−３．１５９、α2＝−４．６８０Ｅ−０４、及びα3＝３．５４１Ｅ−０６という定数値が使用される。
【００２２】
幾つかの事例において、係数α2及びα3の具体的な数値は、メリット関数内に設定される目標値に基づいて選択される。その点において、幾つかの実施形態では、それら目標値によって所望の焦点深度の大きさが特定される。メリット関数を最小化するように係数α2及びα3が最適化されるまで、係数α2及びα3は所望の目標値に基づきメリット関数によって変化させられる。そのような最適化によって、目標とされた性能パラメータのメリット関数へのインプットに最も良く調和するデザインが提供される。
【００２３】
ここで図４〜図６を参照すると、種々の入射瞳径における眼内レンズ１２０についての変調伝達関数（ＭＴＦ）のプロット図が示されている。特に、ＭＴＦのプロット図は、光学伝達関数（ＯＴＦ）の係数を空間周波数（サイクル毎ミリメートル単位）に対してマッピングしたものである。さらに、各ＭＴＦプロット図は、眼内レンズ１２０に対する実際の計算結果を、そのようなレンズの対応する理論的限界値までマッピングしたものである。図４は、６．０ｍｍの入射瞳径（ＥＰＤ）に関する眼内レンズ１２０のＭＴＦプロット図である。図５は、２．０ｍｍの入射瞳径（ＥＰＤ）に関する眼内レンズ１２０のＭＴＦプロット図である。最後に、図６は、１．５ｍｍの入射瞳径（ＥＰＤ）に関する眼内レンズ１２０のＭＴＦプロット図である。これらＭＴＦプロット図は、眼内レンズ１２０の３つの領域１２６、１２８、及び１３０の全てを含めて計算されている。図４〜図６のＭＴＦプロット図に示されるように、領域１２６、１２８、及び１３０の非球面状のプロファイルは、眼内レンズの全体的な光学的性能に僅かな影響しか及ぼさない。その点において、眼内レンズ１２０によると、良質な遠見視力が提供されるとともに、図７及び図８に関連して後述する通り、焦点深度が増大されて近見視力が改善される。
【００２４】
図７及び図８を参照すると、異なるラインペア毎ミリメートル（ｌｐ／ｍｍ）における眼内レンズ１２０のスルーフォーカスＭＴＦを領域１２６、１２８、及び１３０の各々について表すグラフが示されている。特に、図７は、２０／２０の視力と等しい１００ｌｐ／ｍｍにおける眼内レンズ１２０のスルーフォーカスＭＴＦを、領域１３０（６．０ｍｍ）、領域１２８（２．０ｍｍ）、及び領域１２６（１．５ｍｍ）について表すグラフである。図８は、２０／４０の視力と等しい５０ｌｐ／ｍｍにおける眼内レンズ１２０のスルーフォーカスＭＴＦを、領域１３０（６．０ｍｍ）、領域１２８（２．０ｍｍ）、及び領域１２６（１．５ｍｍ）について表すグラフである。
【００２５】
図７をより具体的に参照すると、図示されるように、２０／２０の視力における領域１３０については、近視化（ｍｙｏｐｉｃ  ｓｈｉｆｔ）が存在しておらずＭＴＦが非常に大きくなっており、その結果として生じる狭小なスルーフォーカスによって、大型の瞳孔寸法における良質な遠見視力が提供される。２０／２０の視力における領域１２８については、０．４ディオプトリの増大した屈折力を概ね生じさせる近視化が存在しており、スルーフォーカスが広幅化されている。最後に、２０／２０の視力における領域１２６については、０．６ディオプトリの増大した屈折力を概ね生じさせる近視化が存在しており、スルーフォーカスが領域１２８と比較してもさらに広幅化されている。図示されるように、増大した屈折力が領域１２６及び領域１２８の光学的プロファイルによって付与されるものの、良質な遠見視力をもたらす比較的大きいＭＴＦがそれら領域において維持される。従って、２０／２０の視力と等しい数値における眼内レンズ１２０によると、遠見視力の所望の改善が維持されるとともに、焦点深度が増大されて近見視力が改善される。幾つかの事例において、領域１２６及び領域１２８の少なくともいずれか一方の非球面性プロファイルによると、３ディオプトリに達する増大した焦点深度が付与される。
【００２６】
ここで、図８を参照すると、図示されるように、２０／４０の視力における領域１３０については、近視化が存在しておらずＭＴＦが非常に大きくなっており、その結果として生じる狭小なスルーフォーカスによって、大型の瞳孔寸法における良好な遠見視力が提供される。２０／４０の視力における領域１２８については、０．３５ディオプトリの増大した屈折力を概ね生じさせる近視化が存在しており、スルーフォーカスが広幅化されている。最後に、２０／４０の視力における領域１２６については、０．５５ディオプトリの増大した屈折力を概ね生じさせる近視化が存在しており、スルーフォーカスが領域１２８と比較してもさらに広幅化されている。図示されるように、増大した屈折力が領域１２６及び領域１２８の光学的プロファイルによって付与されるものの、良質な遠見視力をもたらす比較的高いＭＴＦがそれら領域において維持される。従って、２０／４０の視力と等しい数値における眼内レンズ１２０によると、近視力の所望の改善が維持されるとともに、焦点深度が増大されて近見視力が改善される。幾つかの事例において、領域１２６及び領域１２８の少なくともいずれか一方の非球面性プロファイルによると、３ディオプトリに達する増大した焦点深度が付与される。
【００２７】
ここで、図９を参照すると、本発明の非球面状のデザインの代わりに標準的な球面を採用した眼内レンズのスルーフォーカスＭＴＦを表すグラフが示されている。特に、図９は、２０／２０の視力と等しい１００ｌｐ／ｍｍにおける球面状の眼内レンズのスルーフォーカスＭＴＦを表すグラフである。図示されるように、レンズの最も好ましい焦点がより大型の瞳孔直径（例えば、５ｍｍ）向けに設定されるときに瞳孔寸法が縮小されると、焦点が遠視側に移動する。これは標準的な球面状のレンズにおいて明確な球面収差が発生する結果である。それに対して、本発明の眼内レンズの異なる領域ごとの非球面性プロファイルによると、遠見視力の所望の改善が維持されるとともに、焦点深度が増大されて近見視力が改善される。
【００２８】
眼内レンズ１２０の前方光学面１２２は非球面性プロファイルが変化する３つの領域を有するように説明されたものの、他の実施形態における前方光学面は、より少数の領域（すなわち、２つの領域）、又はより多数の領域（例えば、４つ、５つ、６つ、７つ、８つ、又は９つ以上の領域）を有する。一般に、領域の個数とは無関係に、それら領域の各々は、少なくとも隣接する領域の非球面性プロファイルとは異なる非球面プロファイルを有する。さらに、前方光学面１２２の領域１２６、１２８、及び１３０は、完全に別個の非球面性プロファイルを有する別個の区別された領域として説明されたものの、幾つかの実施形態においては、異なる非球面性プロファイル間の円滑な移行が促進されるように、隣接する領域を接続する移行区域が設けられることが理解される。その点において、幾つかの事例における移行区域は、隣接する領域の非球面性プロファイルを組み合わせることによって形成される非球面性プロファイルを有する。
【００２９】
一般に、本発明の眼内レンズは、任意の適切な生体適合性材料から形成されうる。例えば、幾つかの事例において、レンズは軟質アクリルポリマー（例えば、アルコン社がＡｃｒｙｓｏｆ（登録商標）の商標で販売する市販レンズを形成するのに使用される材料）から形成される。本発明の眼内レンズは、特許文献１に開示される材料から形成されうる。特許文献１は参照することによって本明細書に完全に組み込まれる。幾つかの事例において、低侵襲の手術法を使用して挿入するのが容易になるように、眼内レンズは折畳み可能である。特に、眼内レンズは、４．０ｍｍ未満の長さを有する切開部を通って挿入されるように形成されうる。幾つかの事例において、切開部は３．５ｍｍ未満の長さを有する。さらに、幾つかの実施形態において、眼内レンズは、眼内レンズが眼球内で適切に位置決めされることを容易にする触覚部（図示されない）を有しうることが理解される。幾つかの実施形態において、眼内レンズは眼内リングに連結するように形成される。
【００３０】
具体的な実施形態が示されて説明されたものの、広範な改変、変更、及び置換が前述した内容から考慮される。本発明の範囲から逸脱することなく、そのような変形を前述した内容に加えうることが理解される。従って、添付の特許請求の範囲は広範に解釈されるとともに本発明に整合する態様で解釈されるのが適切である。
【図１】
2014503274.tif 000006
【図２】
2014503274.tif 000007
【図３】
2014503274.tif 000008
【図４】
2014503274.tif 000009
【図５】
2014503274.tif 000010
【図６】
2014503274.tif 000011
【図７】
2014503274.tif 000012
【図８】
2014503274.tif 000013
【図９】
2014503274.tif 000014
【国際調査報告】
2014503274.tif 000015